【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
潤滑粘性のオイル；および
０．１〜約１０重量％の、少なくとも２つの１２〜２２個の炭素原子のヒドロカルビル基を含むＮ−置換シュウ酸ビスアミドまたはアミド−エステル
を含む組成物。
【請求項２】
前記Ｎ−置換シュウ酸ビスアミドまたはアミドエステルが、式：
【化１７】
2012518071.tif 000001
（式中、Ｒ１、Ｒ２、Ｒ３およびＲ４の少なくとも２つは独立に、１２〜２２個の炭素原子のヒドロカルビル基を含む基であり、前記基Ｒ１、Ｒ２、Ｒ３およびＲ４の最大で２つは独立に、水素または１０個以下の炭素原子のヒドロカルビル基である）
で表されるビスアミドを含む、請求項１に記載の組成物。
【請求項３】
Ｒ３およびＲ４が水素であるか、またはＲ１およびＲ４が水素である、請求項２に記載の組成物。
【請求項４】
前記基Ｒ１、Ｒ２、Ｒ３およびＲ４の２つが独立に、１２〜２２個の炭素原子のアルキル基である、請求項２または３のいずれかに記載の組成物。
【請求項５】
前記基Ｒ１、Ｒ２、Ｒ３およびＲ４の２つが独立に、Ｎ−ヒドロカルビル−置換アミノアルキル基であり、該ヒドロカルビル置換基が１２〜２２個の炭素原子を含み、該アルキル部分が１〜４個の炭素原子を含む、請求項２から４のいずれかに記載の組成物。
【請求項６】
前記Ｎ−置換シュウ酸ビスアミドまたはアミドエステルが、式
【化１８】
2012518071.tif 000002
（式中、それぞれのＲ１およびＲ２は独立に、１２〜１８個の炭素原子のアルキル基である）
で表されるビスアミドを含む、請求項１から４のいずれかに記載の組成物。
【請求項７】
前記Ｎ−置換シュウ酸ビスアミドまたはアミド−エステルが、式：
【化１９】
2012518071.tif 000003
（式中、Ｒ１およびＲ２は独立に、１２〜２２個の炭素原子のヒドロカルビル基であり、Ｒ１０は１〜２２個の炭素原子のヒドロカルビル基である）
で表されるアミド−エステルを含む、請求項１に記載の組成物。
【請求項８】
潤滑粘性のオイル、およびジアルキルアミンとオキサミン酸アルキルを反応させるプロセスによって得られるか、または得ることができる生成物を含む組成物。
【請求項９】
前記ジアルキルアミンがジココアミンであり、前記オキサミン酸アルキルがオキサミン酸エチルである、請求項８に記載の組成物。
【請求項１０】
前記Ｎ−置換シュウ酸ビスアミドまたはアミド−エステルが、式
【化２０】
2012518071.tif 000004
（式中、Ｒ５およびＲ７は独立に、１２〜２２個の炭素原子のヒドロカルビル基であり、Ｒ６およびＲ８は独立に、水素あるいは１０個以下の炭素原子のヒドロカルビル基または１２〜２２個の炭素原子のヒドロカルビル基である）
で表されるビスアミドを含む、請求項１、２、３、４、８または９のいずれかに記載の組成物。
【請求項１１】
前記Ｎ−置換シュウ酸ビスアミドまたはアミド−エステルが、式：
【化２１】
2012518071.tif 000005
（式中、Ｒ５およびＲ６は独立に、１２〜２２個の炭素原子のヒドロカルビル基であり、Ｒ１０は１〜２２個の炭素原子のヒドロカルビル基である）
で表されるアミド−エステルを含む、請求項１に記載の組成物。
【請求項１２】
Ｎ，Ｎ−ジタロープロピレンジアミンをシュウ酸ジメチルと反応させるプロセスによって得られるか、または得ることができる生成物を含む、自動変速機のための摩擦調整剤として使用するのに適した組成物。
【請求項１３】
分散剤、洗剤、酸化防止剤、シール膨張剤および摩耗防止剤からなる群から選択される少なくとも１つのさらなる添加剤をさらに含む、請求項１から１２のいずれかに記載の組成物。
【請求項１４】
有機ホウ酸エステル、有機ホウ酸塩、有機リンの酸のエステル（ｐｈｏｓｐｈｏｒｕｓ  ｅｓｔｅｒ）、有機リンの酸の塩（ｐｈｏｓｐｈｏｒｕｓ  ｓａｌｔ）、無機リンの酸および無機リンの酸の塩からなる群から選択される少なくとも１つの添加剤をさらに含む、請求項１から１３のいずれかに記載の組成物。
【請求項１５】
請求項１から１４のいずれかに記載の潤滑剤を変速機に供給することを含む変速機を潤滑化させる方法。
【手続補正２】
【補正対象書類名】明細書
【補正対象項目名】００１７
【補正方法】変更
【補正の内容】
【００１７】
本発明は、例えば、以下を提供する：
（項目１）
潤滑粘性のオイル；および
少なくとも２つの約１２〜約２２個の炭素原子のヒドロカルビル基を含むＮ−置換シュウ酸ビスアミドまたはアミド−エステル
を含む組成物。
（項目２）
前記Ｎ−置換シュウ酸ビスアミドまたはアミドエステルが、式：
【化１７】
2012518071.tif 000006
（式中、Ｒ１、Ｒ２、Ｒ３およびＲ４の少なくとも２つは独立に、約１２〜約２２個の炭素原子のヒドロカルビル基を含む基であり、前記基Ｒ１、Ｒ２、Ｒ３およびＲ４の最大で２つは独立に、水素または１０個以下の炭素原子のヒドロカルビル基である）
で表されるビスアミドを含む、項目１に記載の組成物。
（項目３）
Ｒ３およびＲ４が水素である、項目２に記載の組成物。
（項目４）
Ｒ１およびＲ４が水素である、項目２に記載の組成物。
（項目５）
前記基Ｒ１、Ｒ２、Ｒ３およびＲ４の２つが独立に、約１２〜約２２個の炭素原子のアルキル基である、項目２から４のいずれかに記載の組成物。
（項目６）
前記基Ｒ１、Ｒ２、Ｒ３およびＲ４の２つが独立に、Ｎ−ヒドロカルビル−置換アミノアルキル基であり、該ヒドロカルビル置換基が約１２〜約２２個の炭素原子を含み、該アルキル部分が１〜４個の炭素原子を含む、項目２から４のいずれかに記載の組成物。
（項目７）
前記Ｎ−置換シュウ酸ビスアミドまたはアミドエステルが、式
【化１８】
2012518071.tif 000007
（式中、それぞれのＲ１およびＲ２は独立に、約１２〜約１８個の炭素原子のアルキル基である）
で表されるビスアミドを含む、項目１、２、３または５のいずれかに記載の組成物。
（項目８）
前記Ｎ−置換シュウ酸ビスアミドまたはアミド−エステルが、式：
【化１９】
2012518071.tif 000008
（式中、Ｒ１およびＲ２は独立に、約１２〜約２２個の炭素原子のヒドロカルビル基であり、Ｒ１０は１〜約２２個の炭素原子のヒドロカルビル基である）
で表されるアミド−エステルを含む、項目１に記載の組成物。
（項目９）
潤滑粘性のオイル、およびジアルキルアミンとオキサミン酸アルキルを反応させるプロセスによって得られるか、または得ることができる生成物を含む組成物。
（項目１０）
前記ジアルキルアミンがジココアミンであり、前記オキサミン酸アルキルがオキサミン酸エチルである、項目９に記載の組成物。
（項目１１）
前記Ｎ−置換シュウ酸ビスアミドまたはアミド−エステルが、式
【化２０】
2012518071.tif 000009
（式中、Ｒ５およびＲ７は独立に、約１２〜約２２個の炭素原子のヒドロカルビル基であり、Ｒ６およびＲ８は独立に、水素あるいは１０個以下の炭素原子のヒドロカルビル基または約１２〜約２２個の炭素原子のヒドロカルビル基である）
で表されるビスアミドを含む、項目１、２、４または６のいずれかに記載の組成物。
（項目１２）
前記Ｎ−置換シュウ酸ビスアミドまたはアミド−エステルが、式：
【化２１】
2012518071.tif 000010
（式中、Ｒ５およびＲ６は独立に、約１２〜約２２個の炭素原子のヒドロカルビル基であり、Ｒ１０は１〜約２２個の炭素原子のヒドロカルビル基である）
で表されるアミド−エステルを含む、項目１に記載の組成物。
（項目１３）
Ｎ，Ｎ−ジタロープロピレンジアミンをシュウ酸ジメチルと反応させるプロセスによって得られるか、または得ることができる生成物を含む、自動変速機のための摩擦調整剤として使用するのに適した組成物。
（項目１４）
前記Ｎ−置換シュウ酸ビスアミドまたはアミド−エステルの量が約０．１〜約１０重量％である、項目１から１３のいずれかに記載の組成物。
（項目１５）
分散剤、洗剤、酸化防止剤、シール膨張剤および摩耗防止剤からなる群から選択される少なくとも１つのさらなる添加剤をさらに含む、項目１から１４のいずれかに記載の組成物。
（項目１６）
有機ホウ酸エステル、有機ホウ酸塩、有機リンの酸のエステル（ｐｈｏｓｐｈｏｒｕｓ  ｅｓｔｅｒ）、有機リンの酸の塩（ｐｈｏｓｐｈｏｒｕｓ  ｓａｌｔ）、無機リンの酸および無機リンの酸の塩からなる群から選択される少なくとも１つの添加剤をさらに含む、項目１から１５のいずれかに記載の組成物。
（項目１７）
項目１から１６のいずれかに記載の潤滑剤を変速機に供給することを含む変速機を潤滑化させる方法。
本開示技術は、変速機用の摩擦調整剤として使用するのに適した組成物であって、潤滑粘性のオイル、および１２〜２２個の炭素原子の少なくとも２つのヒドロカルビル基を含むＮ−置換シュウ酸ビスアミドまたはアミド−エステルを含む組成物を提供する。特定の実施形態では、そのビスアミドまたはアミド−エステルは第１級アミノ基を含まない。